(57)【要約】【課題】  その目的とするところは秘密情報を見る際に削り屑が発生することなく、削り屑の削り残しによる見間違える恐れもなく、またカードの表面に擦り傷を付けることのないカードを提供することにある。【解決手段】  基材の上にアンカー層と、絵柄層と、保護層と、が順次、形成されたカードであって、カードの一部に隠蔽情報記載領域が設けられ、隠蔽情報記載領域内においてアンカー層非形成部が形成され、絵柄層と基材との密着強度が、アンカー層と基材との密着強度および絵柄層とアンカー層との密着強度より弱い設定とされ、隠蔽情報記載領域の上に剥離テープを貼り付け、当該剥離テープを剥がすことにより、アンカー層非形成部の上の絵柄層が保護層と共に基材から剥がれて剥離テープの粘着剤層面に転位し、アンカー層非形成部の絵柄層および保護層が剥離テープに転位した状態で剥離テープが剥離する。【選択図】        図２
2014117891.tif 000002
【特許請求の範囲】
【請求項１】
基材の上にアンカー層と、絵柄層と、保護層と、が順次、形成されたカードであって、カードの一部に隠蔽情報記載領域が設けられ、前記隠蔽情報記載領域内においてアンカー層が形成されていないアンカー層非形成部が形成され、前記絵柄層と前記基材との密着強度が、前記アンカー層と前記基材との密着強度および前記絵柄層と前記アンカー層との密着強度より弱い設定とされており、前記隠蔽情報記載領域の上に粘着剤層を備えた剥離テープを貼り付け、当該剥離テープを剥がすことにより、前記アンカー層非形成部の上の前記絵柄層が前記保護層と共に前記基材から剥がれて前記剥離テープの前記粘着剤層面に転位し、前記アンカー層上の前記絵柄層は転位せず、前記アンカー層非形成部の前記絵柄層および前記保護層が前記剥離テープに転位した状態で前記剥離テープが剥離することを特徴とするカード。
【請求項２】
基材の上に着色接着層と、アンカー層と、絵柄層と、保護層と、剥離層と、が順次、形成されたカードであって、カードの一部に隠蔽情報記載領域が設けられ、前記隠蔽情報記載領域内においてアンカー層が形成されていないアンカー層非形成部が形成され、前記絵柄層と前記着色接着層との密着強度が、前記アンカー層と前記着色接着層との密着強度および前記絵柄層と前記アンカー層との密着強度より弱い設定とされており、前記隠蔽情報記載領域の上に粘着剤層を備えた剥離テープを貼り付け、当該剥離テープを剥がすことにより、前記アンカー層非形成部の上の前記絵柄層が前記保護層および前記剥離層と共に前記着色接着層から剥がれて前記剥離テープの前記粘着剤層面に転位し、前記アンカー層上の前記絵柄層は転位せず、前記アンカー層非形成部の前記絵柄層、前記保護層および前記剥離層が前記剥離テープに転位した状態で前記剥離テープが剥離することを特徴とするカード。
【発明の詳細な説明】
【技術分野】
【０００１】
本発明は、「アタリ」、「ハズレ」のクジや抽選番号等の予め見えてはいけない秘密情報を備えたカードに関し、特に、隠蔽情報記載領域に記載された秘密情報が第三者に見えないように秘密性が保持されており、隠蔽情報記載領域の上に剥離テープを貼り付け、当該剥離テープを剥がすことにより初めて秘密情報が目視可能となるポイントカード、会員カード等に好適に使用できるカードに関する。
【背景技術】
【０００２】
従来、「アタリ」、「ハズレ」のクジや抽選番号等の予め見えてはいけない秘密情報の上に形成した銀色の脆弱な隠蔽層が設けられ、この隠蔽層を爪やコイン等で擦ることにより隠蔽層を削り落とすと秘密情報が目視可能となる、いわゆるスクラッチカードと呼ばれるカードが広く知られており、このスクラッチカードが備えた秘密情報隠蔽技術を適用したポイントカード、プリペイドカード、テレフォンカード等も開示されている（例えば、特許文献１〜３参照）。
【０００３】
これらのスクラッチカードの秘密情報隠蔽技術は、カードの基材上に抽選番号や「アタリ」、「ハズレ」や暗証コード等を示す秘密情報が印字された秘密情報表示部を設け、当該秘密情報表示部の上にこれを覆い隠す隠蔽性を有する銀色の脆弱な隠蔽層を形成したものである。したがって、秘密情報を読み取るためには隠蔽層を爪やコイン等で擦ることにより削り落とす必要があり、隠蔽層を削り落とす際に種々の問題点が発生している。
まずは、隠蔽層を削り落とす際、削り屑が発生するので、削り屑でカードを汚したり、あるいは削り屑の後始末が面倒で手間隙のかかることである。つぎに、削り屑の一部を削り残したりすることがあり、その結果、秘密情報表示部上の例えば抽選番号を当選番号と見間違えてしまう恐れがある。また、隠蔽層をコイン等で擦るために、擦る力加減によりカードの表面にキズを付けてしまい意匠性が低下することもある。
【先行技術文献】
【特許文献】
【０００４】
【特許文献１】特開平１０−２１４３２０号公報
【特許文献２】特開２０００−３２６６６７号公報
【特許文献３】特開平１１−３４５６５号公報
【発明の概要】
【発明が解決しようとする課題】
【０００５】
そこで本発明は、上記問題を解決すべくなされたものであり、その目的とするところは秘密情報を見る際に削り屑が発生することなく、削り屑の削り残しによる見間違える恐れもなく、またカードの表面に擦り傷を付けることのないカードを提供することにある。
【課題を解決するための手段】
【０００６】
本発明は、上記課題を達成するために、請求項１記載の本発明は、基材の上にアンカー層と、絵柄層と、保護層と、が順次、形成されたカードであって、カードの一部に隠蔽情報記載領域が設けられ、前記隠蔽情報記載領域内においてアンカー層が形成されていないアンカー層非形成部が形成され、前記絵柄層と前記基材との密着強度が、前記アンカー層と前記基材との密着強度および前記絵柄層と前記アンカー層との密着強度より弱い設定とされており、前記隠蔽情報記載領域の上に粘着剤層を備えた剥離テープを貼り付け、当該剥離テープを剥がすことにより、前記アンカー層非形成部の上の前記絵柄層が前記保護層と共に前記基材から剥がれて前記剥離テープの前記粘着剤層面に転位し、前記アンカー層上の前記絵柄層は転位せず、前記アンカー層非形成部の前記絵柄層および前記保護層が前記剥離テープに転位した状態で前記剥離テープが剥離することを特徴とするカードである。
【０００７】
また、請求項２記載の本発明は、基材の上に着色接着層と、アンカー層と、絵柄層と、保護層と、剥離層と、が順次、形成されたカードであって、カードの一部に隠蔽情報記載領域が設けられ、前記隠蔽情報記載領域内においてアンカー層が形成されていないアンカー層非形成部が形成され、前記絵柄層と前記着色接着層との密着強度が、前記アンカー層と前記着色接着層との密着強度および前記絵柄層と前記アンカー層との密着強度より弱い設定とされており、前記隠蔽情報記載領域の上に粘着剤層を備えた剥離テープを貼り付け、当該剥離テープを剥がすことにより、前記アンカー層非形成部の上の前記絵柄層が前記保護層および前記剥離層と共に前記着色接着層から剥がれて前記剥離テープの前記粘着剤層面に転位し、前記アンカー層上の前記絵柄層は転位せず、前記アンカー層非形成部の前記絵柄層、前記保護層および前記剥離層が前記剥離テープに転位した状態で前記剥離テープが剥離することを特徴とするカードである。
【発明の効果】
【０００８】
本発明のカードは、基材の上にアンカー層と、絵柄層と、保護層と、が順次、形成されたカードであって、カードの一部に隠蔽情報記載領域が設けられ、前記隠蔽情報記載領域内においてアンカー層が形成されていないアンカー層非形成部が形成され、前記絵柄層と前記基材との密着強度が、前記アンカー層と前記基材との密着強度および前記絵柄層と前記アンカー層との密着強度より弱い設定とされており、前記隠蔽情報記載領域の上に粘着剤層を備えた剥離テープを貼り付け、当該剥離テープを剥がすことにより、前記アンカー層非形成部の上の前記絵柄層が前記保護層と共に前記基材から剥がれて前記剥離テープの前記粘着剤層面に転位し、前記アンカー層上の前記絵柄層は転位せず、前記アンカー層非形成部の前記絵柄層および前記保護層が前記剥離テープに転位した状態で前記剥離テープが剥離する構成とすることにより、
秘密情報を見る際、剥離テープを剥がすことによりアンカー部非形成部の絵柄層が除かれて例えばアンカー部非形成部の基材上に予め記載された秘密情報を見ることが可能となる、あるいはアンカー部非形成部を例えば「アタリ」、「ハズレ」等の文字情報にすることにより、絵柄層が除かれたアンカー部非形成部が抜き文字となって絵柄層の色と基材層の色とのコントラストにより文字情報として顕在化するので目視可能となる効果がある。さらに、秘密情報を見る際に削り屑が発生することなく、削り屑の削り残しによる見間違える恐れもなく、またカードの表面に擦り傷を付けることがないという効果がある。
【０００９】
また、請求項２記載の本発明は、基材の上に着色接着層と、アンカー層と、絵柄層と、保護層と、剥離層と、が順次、形成されたカードであって、カードの一部に隠蔽情報記載領域が設けられ、前記隠蔽情報記載領域内においてアンカー層が形成されていないアンカー層非形成部が形成され、前記絵柄層と前記着色接着層との密着強度が、前記アンカー層と前記着色接着層との密着強度および前記絵柄層と前記アンカー層との密着強度より弱い設定とされており、前記隠蔽情報記載領域の上に粘着剤層を備えた剥離テープを貼り付け、当該剥離テープを剥がすことにより、前記アンカー層非形成部の上の前記絵柄層が前記保護層および前記剥離層と共に前記着色接着層から剥がれて前記剥離テープの前記粘着剤層面に転位し、前記アンカー層上の前記絵柄層は転位せず、前記アンカー層非形成部の前記絵柄層、前記保護層および前記剥離層が前記剥離テープに転位した状態で前記剥離テープが剥離する構成とすることにより、
秘密情報を見る際、剥離テープを剥がすことによりアンカー部非形成部の絵柄層が除かれて例えばアンカー部非形成部の着色接着層上に予め記載された秘密情報を見ることが可能となる、あるいはアンカー部非形成部を例えば「アタリ」、「ハズレ」等の文字情報にすることにより、絵柄層が除かれたアンカー部非形成部が抜き文字となって絵柄層の色と着色接着層の色とのコントラストにより文字情報として顕在化するので目視可能となる効果がある。また、着色接着層を隠蔽層とすることにより、例えば磁気記録層を備えたカードの場合、磁気記録層を隠蔽することができるので意匠性の高いカードとすることができる。さらに、秘密情報を見る際に削り屑が発生することなく、削り屑の削り残しによる見間違える恐れもなく、またカードの表面に擦り傷を付けることがないという効果がある。
【図面の簡単な説明】
【００１０】
【図１】本発明に係るカードの第一実施形態を示し、（イ）は正面図、（ロ）はＹ−Ｙ線断面図である。
【図２】本発明に係る第一実施形態を示すカードの隠蔽情報記載領域に剥離テープを貼り付け、当該剥離テープを剥がした状態を示し、（イ）は正面図、（ロ）はＹ−Ｙ線断面図である。
【図３】本発明に係るカードの第二実施形態を示し、（イ）は正面図、（ロ）はＹ−Ｙ線断面図、（ハ）は転写シートの構成を示す断面図である。
【図４】本発明に係る第二実施形態を示すカードの隠蔽情報記載領域に剥離テープを貼り付け、当該剥離テープを剥がした状態を示し、（イ）は正面図、（ロ）はＹ−Ｙ線断面図である。
【発明を実施するための形態】
【００１１】
上記の本発明について、図面等を用いて以下に詳述する。
【００１２】
図１は本発明に係るカードの第一実施形態を示し、（イ）は正面図、（ロ）はＹ−Ｙ線断面図、図２は本発明に係る第一実施形態を示すカードの隠蔽情報記載領域に剥離テープを貼り付け、当該剥離テープを剥がした状態を示し、（イ）は正面図、（ロ）はＹ−Ｙ線断面図、図３は本発明に係るカードの第二実施形態を示し、（イ）は正面図、（ロ）はＹ−Ｙ線断面図、（ハ）は転写シートの構成を示す断面図、図４は本発明に係る第二実施形態を示すカードの隠蔽情報記載領域に剥離テープを貼り付け、当該剥離テープを剥がした状態を示し、（イ）は正面図、（ロ）はＹ−Ｙ線断面図であり、図中の１０、１０’はカード、１１は基材、１２はアンカー層、１２ａはアンカー層非形成部、１３は絵柄層、１３’は剥離した絵柄層、１４は保護層、１４’は剥離した保護層、１５は隠蔽情報記載領域、１６は潜在情報記載部、１６’は顕在化した潜在情報記載部、１７は着色接着層、１８は剥離層、１８’は剥離した剥離層、１９は磁気記録層、２０は剥離テープ、２１は粘着剤層、３０は転写シート、３１は転写用基材をそれぞれ示す。
【００１３】
図１は本発明に係るカードの第一実施形態を示し、（イ）は正面図、（ロ）はＹ−Ｙ線断面図であって、本発明の第一実施形態のカード１０は、基材１１の上にアンカー層１２と、絵柄層１３と、保護層１４と、が順次、形成されたものであり、カード１０の一部に隠蔽情報記載領域１５（図中、破線で囲んだ領域）が設けられている。隠蔽情報記載領域１５内には図１の（ロ）に示すようにアンカー層１２が部分的に形成されていないアンカー層非形成部１２ａが形成されている。また、アンカー層非形成部１２ａは図１の（イ）に示すようにアンカー層１２が印刷等によりアタリの文字が抜き文字となって形成されている。
図１の（イ）に示すように隠蔽情報記載領域１５において、アンカー層１２は透明であり、アンカー層１２とアンカー層非形成部１２ａとは目視で判別不可能であり、それらの上に絵柄層１３、保護層１４が積層されているので上から見ると保護層１４を透して絵柄層１３が見えている状態となっている。すなわち、隠蔽情報記載領域１５内において、アンカー層非形成部１２ａが潜在情報記載部１６となっている。また、アンカー層非形成部１２ａにおいて、アンカー層１２がないので絵柄層１３が基材１１の上に形成され絵柄層１３と基材１１が接した構成となっている。なお、図１の（イ）においてアンカー層１２が形成されずにアタリの抜き文字として形成されているアンカー層非形成部１２ａは薄い色で「アタリ」と記載しているが、実際には目視で判別できないものであり、潜在情報記載部１６を説明するために薄い色で記載したものである。
【００１４】
絵柄層１３と基材１１との密着強度は、アンカー層１２と基材１１との密着強度および絵柄層１３とアンカー層１２との密着強度より弱い設定とされている。
したがって、図２に示すように隠蔽情報記載領域１５の上に粘着剤層２１を備えた剥離テープ２０を貼り付け、当該剥離テープ２０を剥がすことにより、アンカー層非形成部１２ａの上の基材１１と直接接している絵柄層１３が保護層１４と共に基材１１から剥がれて剥離テープ２０の粘着剤層２１面に転位し、アンカー層１２上の絵柄層１３および保護層１４は転位せず、アンカー層非形成部１２ａの剥離した絵柄層１３’および剥離した保護層１４’が剥離テープ２０に転位した状態で剥離テープ２０が剥離する。
その結果、隠蔽情報記載領域１５には、「アタリ」の抜き文字で形成された潜在情報記載部１６の絵柄層１３および保護層１４が剥離して除かれることにより基材１１が目視可能となり絵柄層１３と基材１１の色のコントラストにより顕在化した潜在情報記載部１６’が「アタリ」の文字となって、目視による判別が可能となる。
【００１５】
本発明は、絵柄層１３と基材１１との密着強度がアンカー層１２と基材１１との密着強度および絵柄層１３とアンカー層１２との密着強度より弱い設定とされていることが重要であり、そうすることにより、剥離テープ２０を貼り付け、当該剥離テープ２０を剥がすことにより、隠蔽情報記載領域１５に「アタリ」の文字を顕在化させるものである。使用する剥離テープ２０としては、例えば、ニチバン株式会社製のセロテープ（登録商標）、積水化学工業製のセキスイ粘着テープ、日東電工株式会社製のセロハンテープ等が挙げられる。
【００１６】
隠蔽情報記載領域１５に形成されている潜在情報記載部としては「アタリ」、「ハズレ」のクジや抽選番号等の予め見えてはいけない秘密情報以外に、顧客へ提供する特典情報であってもよい。また潜在情報記載部１６はアンカー層非形成部１２ａが「アタリ」の抜き文字で形成された例を示したが、これに限定されるものではなく、隠蔽情報記載領域１５内において基材１１上に予め判読可能な秘密情報を記載し、秘密情報を記載した領域全体をアンカー層非形成部１２ａとし、アンカー層非形成部１２ａの領域全体を剥離させることにより予め記載された秘密情報が顕在化する構成にすることもできる。
【００１７】
本発明に係るカード１０に使用される基材１１としては、ポリ塩化ビニル、ポリエステル、ポリカーボネート等の樹脂製シート、紙製シート等を使用することができ、基材１１の厚みは、カードの使用目的等に応じて適宜設定することができる。また、基材１１としてポリ塩化ビニル、ポリエステル、ポリカーボネート等の樹脂製シートをセンターコアとし、そのセンターコアの両面にポリ塩化ビニル、ポリエステル、ポリカーボネート等の樹脂製シートを積層した複層構造のものも使用できる。また、樹脂製シートはポリ塩化ビニル、ポリエステル、ポリカーボネート等の発泡体や炭酸カルシウム等の無機物を含む白色シートや、あるいは着色剤を含む着色樹脂シートであってもよい。
【００１８】
アンカー層、絵柄層、保護層は印刷により形成される層であり、印刷方法としては、オフセット印刷、グラビア印刷、シルクスクリーン印刷やそれらの組み合わせにより形成される。アンカー層１２は透明であることが好ましく、無色透明でも着色透明でもよく、基材１１および絵柄層１３に接着のよいインキのメジュームが主に使用される。また、保護層１４は通常は透明であるが、絵柄層１３の意匠性に影響を及ぼさない範囲で着色透明にすることもできる。保護層１４は絵柄層１３を保護する層であり、セルロース樹脂、ウレタン樹脂、ポリエステル樹脂、ビニル樹脂、エポキシ樹脂、アクリル樹脂などの樹脂を１種類又は２種類以上組み合わされたインキで印刷して形成する。絵柄層１３はカードに使用される通常のインキが使用されるが、絵柄層１３と基材１１との密着強度がアンカー層１２と基材１１との密着強度および絵柄層１３とアンカー層１２との密着強度より弱いインキタイプを選定することが肝要である。なお、アンカー層、絵柄層、保護層には紫外線硬化型インキを用いることもできる。具体的にはアンカー層用インキとして、ＤＩＣグラフィックス株式会社製のＵＶカード（シリーズ）、絵柄層用インキとして、同社製のＵＶカルトン（シリーズ）、保護層用インキとして、同社製のＵＶカルトンＯＰニスが挙げられる。
【００１９】
図３は本発明に係るカードの第二実施形態を示し、（イ）は正面図、（ロ）はＹ−Ｙ線断面図、（ハ）は転写シートの構成を示す断面図であって、本発明の第二実施形態のカード１０’は、図３の（イ）、（ロ）に示すように基材１１の上に着色接着層１７と、アンカー層１２と、絵柄層１３と、保護層１４と、剥離層１８と、が順次、形成されたものであり、カード１０’の一部に隠蔽情報記載領域１５（図中、破線で囲んだ領域）が設けられている。隠蔽情報記載領域１５内には図１の（ロ）に示すようにアンカー層１２が部分的に形成されていないアンカー層非形成部１２ａが形成されている。
基材１１の上に着色接着層１７と、アンカー層１２と、絵柄層１３と、保護層１４と、剥離層１８と、が順次、形成されたものであり、カード１０’の一部に隠蔽情報記載領域１５が設けられている。隠蔽情報記載領域１５内には図３の（ロ）に示すようにアンカー層１２が部分的に形成されていないアンカー層非形成部１２ａが形成されている。また、アンカー層非形成部１２ａは図３の（イ）に示すようにアンカー層１２が印刷等によりアタリの文字が抜き文字となって形成されている。
図３の（イ）に示すように隠蔽情報記載領域１５において、アンカー層１２は透明であり、アンカー層１２とアンカー層非形成部１２ａとは目視で判別不可能であり、それらの上に絵柄層１３、保護層１４、剥離層１８が積層されているので上から見ると剥離層１８および保護層１４を透して絵柄層１３が見えている状態となっている。すなわち、隠蔽情報記載領域１５内において、アンカー層非形成部１２ａが潜在情報記載部１６となっている。また、アンカー層非形成部１２ａにおいて、アンカー層１２がないので絵柄層１３が着色接着層１７の上に形成され絵柄層１３と着色接着層１７が接した構成となっている。なお、図３の（イ）においてアンカー層１２が形成されずにアタリの抜き文字として形成されているアンカー層非形成部１２ａは薄い色で「アタリ」と記載しているが、実際には目視で判別できないものであり、潜在情報記載部１６を説明するために薄い色で記載したである。
【００２０】
また、カード１０’は、上部の左右方向に上端と平行に磁気記録層１９を備えている。磁気記録層１９は、基材１１の上に予め転写により形成されたものであり、磁気記録層１９は、着色接着層１７と、アンカー層１２と、絵柄層１３と、保護層１４と、剥離層１８で覆われており、カード１０’の上からは見えない構成である。
第一実施形態と第二実施形態とは基材１１とアンカー層１２との間に着色接着部１７が介在していること、保護層１４の上に剥離層１８が形成されていること、磁気記録層１９を備えていることで相違するが、その他は同じであり、同符号を付し、説明を省略する。
【００２１】
図３の（ハ）は第二実施形態のカード１０’を作製するための転写シートの構成を示すものであり、転写シート３０はポリエチレンテレフタレート等のプラスチックシートからなる転写用基材３１の上に剥離層１８、保護層１４、絵柄層１３、アンカー層非形成部１２ａを備えたアンカー層１２および着色接着層１７が順次、形成されたものである。この転写シート３０の着色接着層１７の面を基材１１の上に重ねて加熱加圧し、着色接着層１７を基材１１に接着させた後、転写用基材３１のみを剥離させて取り除くことにより着色接着層１７から剥離層１８に至る層を転写させることにより図３の（ロ）に示すカード１０’が作製される（以下、転写方式のカードと称する。）。
【００２２】
絵柄層１３と着色接着層１７との密着強度が、アンカー層１２と着色接着層１７との密着強度および絵柄層１３とアンカー層１２との密着強度より弱い設定とされている。
したがって、図４に示すように隠蔽情報記載領域１５の上に粘着剤層２１を備えた剥離テープ２０を貼り付け、当該剥離テープ２０を剥がすことにより、アンカー層非形成部１２ａの上の着色接着層１７と直接接している絵柄層１３が保護層１４および剥離層１８と共に着色接着層１７から剥がれて剥離テープ２０の粘着剤層２１面に転位し、アンカー層１２上の絵柄層１３、保護層１４および剥離層１８は転位せず、アンカー層非形成部１２ａの剥離した絵柄層１３’、保護層１４’および剥離した剥離層１８’が剥離テープ２０に転位した状態で剥離テープ２０が剥離する。
その結果、隠蔽情報記載領域１５には、「アタリ」の抜き文字で形成された潜在情報記載部１６の絵柄層１３、保護層１４および剥離層１８が剥離して除かれることにより着色接着層１７が目視可能となり絵柄層１３と着色接着層１７の色のコントラストにより顕在化した潜在情報記載部１６’が「アタリ」の文字となって、目視による判別が可能となる。
【００２３】
隠蔽情報記載領域１５に形成されている潜在情報記載部としては「アタリ」、「ハズレ」のクジや抽選番号等の予め見えてはいけない秘密情報以外に、顧客へ提供する特典情報であってもよい。また潜在情報記載部１６はアンカー層非形成部１２ａが「アタリ」の抜き文字で形成された例を示したが、これに限定されるものではなく、隠蔽情報記載領域１５内において着色接着層１７の基材１１とは反対側に予め判読可能な秘密情報を記載し、秘密情報を記載した領域全体をアンカー層非形成部１２ａとし、アンカー層非形成部１２ａの領域全体を剥離させることにより予め記載された秘密情報が顕在化する構成にすることもできる。
【００２４】
本発明に係る転写方式のカード１０’に使用される着色接着層１７は、基材１１との接着の役目以外に磁気記録層１９を目で見えない程度に隠蔽する役目を兼ねている層である。着色接着層１７は、塩化ビニル−酢酸ビニル共重合体樹脂、酢酸ビニル樹脂、アクリル樹脂、ポリエステル樹脂等の樹脂を１種または２種以上組み合わせたものに隠蔽性を有する着色剤を配合したインキを印刷して形成される。隠蔽性を有する着色剤としては、隠蔽性を有する顔料であれば使用可能であるが、さらにアルミニウムや真鍮等の金属粉または金属ペーストを含有させることが好ましい。
【００２５】
剥離層１８は転写用基材３１から剥離可能にする役目と、転写後はカード１０’の表面層となり表面保護の役目を果たすものであり、第一実施形態の保護層で示した同じ樹脂が使用できる。また、剥離層１８は絵柄層１３や潜在情報記載部１６が見える必要があり、透明性を有している。
剥離層１８は転写安定性、表面保護性の向上の観点から１〜５μｍ程度の厚みに形成する方がよく、転写用基材３１にグラビア印刷により予め形成しておくことが好ましい。
なお、転写方式の場合、保護層１４を省略することもできる。
絵柄層１３は、絵柄層１３と着色接着層１７との密着強度がアンカー層１２と着色接着層１７との密着強度および絵柄層１３とアンカー層１２との密着強度より弱いインキタイプを選定することが肝要である。具体的にはアンカー層用インキとして、ＤＩＣグラフィックス株式会社製のＵＶカード（シリーズ）、絵柄層用インキとして、同社製のＵＶカルトン（シリーズ）、保護層用インキとして、同社製のＵＶカルトンＯＰニスが挙げられる。
【００２６】
以上、説明したように第二実施形態のカード１０’は着色接着層１７を備えることにより磁気記録層１９を隠蔽できるので磁気記録層（磁気テープ）を備えたカードに適しており、カードに高意匠性を与えることができる。
【符号の説明】
【００２７】
１０、１０’          カード
１１                  基材
１２                  アンカー層
１２ａ                アンカー層非形成部
１３                  絵柄層
１３’                剥離した絵柄層
１４                  保護層
１４’                剥離した保護層
１５                  隠蔽情報記載領域
１６                  潜在情報記載部
１６’                顕在化した潜在情報記載部
１７                  着色接着層
１８                  剥離層
１８’                剥離した剥離層
１９                  磁気記録層
２０                  剥離テープ
２１                  粘着剤層
３０                  転写シート
３１                  転写用基材
【図１】
2014117891.tif 000003
【図２】
2014117891.tif 000004
【図３】
2014117891.tif 000005
【図４】
2014117891.tif 000006